(57)【要約】      （修正有）【課題】各種の有効成分を含有する海藻のモズクを利用した除湿剤、保湿液、防塵マスクを提供する。【解決手段】粉末に加工された海藻のモズクを各種容器や袋に充填して除湿剤とする。また、液体に加工された海藻のモズクを各種容器や袋に充填して保湿液とする。また、液体に加工された海藻のモズクを塗布した不織布を用いて防塵マスクとする。モズクの粉末は水分を吸収する量が多い。又モズクを液体に加工して有効成分のフコイダンを抽出すると、皮膚が乾燥するのを防ぐ。更にモズクの液体は大気中の有害な粉塵や、浮遊している杉花粉等を防ぐ。以上の効果を利用する。【選択図】図１
0003192759.tif 000002
【実用新案登録請求の範囲】
【請求項１】
海藻のモズクを粉末に加工後各種容器や袋に充填して除湿剤に加工する。このモズクの粉末を各種容器や袋に充填して除湿剤として使用する事を特徴とする除湿剤の加工方法。
【請求項２】
海藻のモズクを液体に加工後各種容器に充填して保湿液に加工する。このモズクの液体を各種容器に充填して保湿液に使用する事を特徴とするモズクの保湿液の加工方法。
【請求項３】
海藻のモズクを液体に加工後空気中の汚染物質を防ぐ為不織剤に塗布して防塵マスクに加工する。このモズクを液体に加工後不織剤に塗布して防塵マスクに加工する事を特徴とするモズクの防塵マスクの加工方法。
【考案の詳細な説明】
【技術分野】
【０００１】  本考案はモズクを除湿剤、保湿液及び防塵液の使用に関するものである。
【背景技術】
【０００２】  海藻のモズクには食物繊維が豊富に含有しているが、その他にビタミン．ミネラル，カルシウム．鉄分．ヨウ素等を含有している。【０００３】  モズクのおよそ９０％は水分で、モズクを乾燥すると原藻の２５分の１の重量に乾燥され、乾燥したモズクに水分を加えると原藻と同じ量の２５倍に増える。【０００４】  モズクの食物繊維の成分には、抗菌作用等のあるフコイダンが他の海藻の昆布や若布等より５〜６倍多く含有している。【０００５】  モズクの粉末に含有しているフコイダンの含有量を、財団法人日本食品分析センターに分析を依頼した結果、粉末１００グラム中フコイダンの成分に含有しているフコースは、２４．２グラム含有していると分析された。【０００６】  モズクの食物繊維に含有しているフコイダンは、大学等の研究機関によると胃や腸を丈夫にして免疫力を高める作用や、抗菌作用及び除菌作用がある事が発表されている。【０００７】  消費者は海藻を酢の物や合え物等に料理して食べ、浅草海苔は乾燥して、モズクは生のままで食べられる海藻である。【０００８】  モズクを乾燥後粉末に加工すると、各種の食品に加工する事が出来るが、モズクの粉末は食品以外の除湿剤や保湿液、防塵液にも加工する事も出来る。【０００９】  考案者はこれまで食用だけに使用されていたモズクを粉末に加工すると、モズクの粉末は水分を吸収する量が多いのに着目し、植物性の除湿剤として使用する事を考案した。又モズクを液体に加工して有効成分のフコイダンを抽出すると、皮膚が乾燥するのを防ぐ保湿液として使用する。更にモズクの液体は大気中の有害な粉塵や、浮遊している杉花粉等を防ぐ為、モズクの液体を布織材に塗付し、防塵マスクに使用する事を考案した。
【先行技術文献】
【特許文献】
【００１０】
【特許文献１】平成１７年１１月７日特許第３７３５８３９号公報  乾燥モズクの製造方法  （平成２０年１１月特許失効）
【非特許文献】
【００１１】
【非特許文献１】財団法人日本食品分析センター分析試験成績書、平成１４年１２月２０日、第４０２１２０１１７−００１号
【非特許文献２】財団法人沖縄県環境科学分析センター分析試験成績書  平成１７年６月２１日第２００５‐Ｂ００９２１−０１号
【考案の概要】
【考案が解決しようとする課題】
【００１２】  海藻のモズクはこれまで食品以外の用途に利用する事は考えられなかった。モズクを食品以外の用途として、モズクを粉末に加工するとこの粉末は水分を吸収して２５倍に膨張する。この膨張する粉末を有効に利用する事が課題であった。【００１３】  モズクの粉末１００グラムには抗菌作用のあるフコイダンが６０〜７０グラム含有している。モズクを液体に加工して有効成分のフコイダンを抽出すると、抽出した液体には除菌作用や抗菌作用があり、モズクの液体を乾燥肌の保湿液として使用する。更にモズクの液体を大気中に浮遊している有害な粉塵や杉花粉等を防ぐ為、布織材に塗付した防塵マスクに加工すると、モズクの液体は杉花粉症等をマスクで遮断する作用があると考えた。
【課題を解決する手段】
【００１４】モズクを粉末に加工すると食材としての用途は数多くあるが、食品以外の用途としてモズクの粉末に水分を加えると、水分を吸収し２５倍に膨張する。このモズクの粉末が膨張するのを利用して植物性の除湿剤に使用する。
【００１５】  モズクの食物繊維には抗菌作用のあるフコイダンが豊富に含有しているが、フコイダンは胃や腸の腫痒や病原菌を除去し死滅させたりする作用がある。又モズクのぬるぬるした液体には皮膚が乾燥するのを防ぐ作用があり、このぬるぬるした液体を保湿液に使用する。更に大気中に浮遊している有害な粉塵や杉花粉等を防ぐ為、モズクの液体をマスク用の布織材に塗布して防塵用マスクに加工する。
【考案の効果】
【００１６】モズクの粉末に水分を加えると、モズクの粉末は水分を吸収して２５倍に膨張する。この膨張する粉末の作用を利用し植物性の除湿材に加工する。モズクの粉末を使用した除湿剤は人畜に全く無害で、使用後の粉末には除菌作用や殺菌作用等の物質が残有している為、除湿剤を直接土壌等に廃棄すると土壌の改良剤として役立つ。
【００１７】  モズクに水分を加えて煮沸攪拌してフコイダンを含有した液体に加工するが、モズクの液体には皮膚が乾燥するのを防ぐ作用がある。又フコイダンは胃や腸を丈夫にして免疫力を高めたりする作用がある。このモズクの液体を大気中に浮遊している有害物質や杉花粉等を防ぐ為に、布織材に塗布して防塵マスクに加工すると、有害物質を遮断する効果を発揮する。
【００１８】
【図面の簡単な説明】
【００１９】
【図１】図１は、モズクの粉末を各種容器や袋に充填する方法を示した図面代用写真である。（実施例１）
【図２】図２は、モズクを煮沸攪拌して液体に加工し、容器に充填する方法を示した図面代用写真である。（実施例２）
【図３】図３は、モズクの液体を保湿液に使用する為、各種容器に充填した図面代用写真である。（実施例３）
【図４】図４は、モズクの液体を布織材に塗布したマスクに加工する方法を示した図面代用写真である。（実施例４）
【図５】図５は、モズクの布織材を使用したマスクを使用する方法を示した図面代用写真である。（実施例５）
【考案を実施する為の形態】
【００２０】  海藻のモズクを粉末に加工後各種容器や袋等に充填して除湿剤に使用する。又モズクを煮沸攪拌して液体に加工後各種容器に充填し、皮膚等の乾燥を防ぐ保湿液に加工する。更にモズクの液体を布織材に塗布し、大気中の有害物質を除去するマスクに加工し、消費者に提供する。
【実施例１】
【００２１】  図１の実施例は、モズクの粉末を容器や袋に充填子除湿剤に加工する工程である。【００２２】  図２の実施例は、モズクを液体に加工し、各種容器に充填する工程である。【００２３】  図３の実施例は、モズクの液体を各種容器に充填して保湿液に加工する工程である。【００２４】  図４の実施例は、モズクの液体をマスク用の布織材に塗布し、マスクに加工するする工程である。【００２５】  図５の実施例は、モズクの液体を布織材に塗布したマスクの使用方法である。
【産業上の利用可能性】
【００２６】海藻のモズクは各種の有効成分を含有しているが、特にモズクの食物繊維には抗菌作用のあるフコイダンを多量に含有している。これまで海藻は単に酢の物料理や煮物の食材として利用されていたが、モズクの粉末には水分や湿気を吸収する作用があり、この作用を利用して植物性の除湿剤に使用する。【００２７】  モズクには抗菌作用のあるフコイダンが他の海藻より多く含有している。モズクを煮沸攪拌してフコイダン液を抽出し、乾燥した肌を防ぐ保湿液に使用する。又モズクの液体を布織材に塗布し、大気を汚染している有害な粉塵や杉花粉等を防禦するマスクに加工すると、モズクは食品だけでなく保湿液や防塵液に加工すると、優れた効果を発揮する。
【符号の説明】
【００２８】１  写真は、モズクの粉末を除湿剤として、容器や袋に充填する。
２  写真は、モズクを煮沸攪拌して液体に加工し、各種容器に充填する。
３  写真は、モズクの液体を乾燥した肌の保湿液に加工する。
４  写真は、煮沸攪拌したモズクの液体を布織材に塗布し、大気を汚染する有害な粉塵や    杉花粉等を防ぐマスクに加工する。
５  写真は、モズクの液体を布織材に塗布したマスクを使用した人物。
【図１】
0003192759.tif 000003
【図２】
0003192759.tif 000004
【図３】
0003192759.tif 000005
【図４】
0003192759.tif 000006
【図５】
0003192759.tif 000007
【手続補正書】
【提出日】平成26年6月13日(2014.6.13)
【手続補正１】
【補正対象書類名】実用新案登録請求の範囲
【補正対象項目名】全文
【補正方法】変更
【補正の内容】
【実用新案登録請求の範囲】
【請求項１】
粉末に加工された海藻のモズクを各種容器や袋に充填したことを特徴とする除湿剤。
【請求項２】
液体に加工された海藻のモズクを各種容器や袋に充填したことを特徴とする保湿液。
【請求項３】
液体に加工された海藻のモズクを塗布した不織布を用いたことを特徴とする防塵マスク。
【手続補正２】
【補正対象書類名】図面
【補正対象項目名】図５
【補正方法】変更
【補正の内容】
【図５】
0003192759.tif 000008